【手続補正書】
【提出日】平成19年2月6日(2007.2.6)
【手続補正１】
【補正対象書類名】明細書
【補正対象項目名】発明の名称
【補正方法】変更
【補正の内容】
【発明の名称】脈管へのアクセスを確立するためのシステム
【手続補正２】
【補正対象書類名】明細書
【補正対象項目名】特許請求の範囲
【補正方法】変更
【補正の内容】
【特許請求の範囲】
【請求項１】  ガイドワイヤの上に脈管へのアクセスを確立するためのシステムであって、該システムは
予め選択された直径を有するガイドワイヤ伝いに導入されるような寸法に設定された管腔を備えた拡張装置と、
管腔が中を貫通し、非膨張時の径を有する半径方向に膨張可能なスリーブとを備え、拡張装置がスリーブの管腔を通して前進させられている時は、前記スリーブは大きいほうの径まで膨張するように構成されている、システム。
【請求項２】  前記拡張装置は一方端でテーパ状にされ、前記半径方向に膨張可能なスリーブの管腔を通る前進運動を容易にしている、請求項１に記載のシステム。
【請求項３】  前記拡張装置は外側管と内側閉塞具とを備えており、閉塞具はガイドワイヤ管腔とテーパ状の端部とを有しており、また、閉塞具は外側管から取り外すことが可能であって、半径方向に膨張可能なスリーブの膨張後は、その内部で適所に管が放置されるようにした、請求項２に記載のシステム。
【請求項４】  前記半径方向に膨張可能なスリーブは追従性のある構造、すなわち、弾性構造を有しており、前記拡張装置がスリーブの管腔から引き出された場合は、膨張後に該構造の断面が崩壊するようにした、請求項１に記載のシステム。
【請求項５】  前記半径方向に膨張可能なスリーブは管状編組材を備えている、請求項４に記載のシステム。
【請求項６】  前記管状編組材は非弾性フィラメントのメッシュであり、半径方向の膨張が編組材の軸線方向の収縮を生じる、請求項５に記載のシステム。
【請求項７】  前記編組材は、弾性層に埋設され、或いは、弾性層により被覆されている、請求項６に記載のシステム。
【請求項８】  前記半径方向に膨張可能なスリーブは可塑的に変形可能であるか、或いは、ロック構造を有しており、前記拡張装置が前記スリーブの管腔から引き出された後で、スリーブがその膨張時の径を維持するようにした、請求項１に記載のシステム。
【請求項９】  前記半径方向に膨張可能なスリーブは抗血栓性の被膜を備えている、請求項１に記載のシステム。
【請求項１０】  ガイドワイヤを更に備えている、請求項１に記載のシステム。
【請求項１１】  テーパ状遠位端と中を貫通する管腔とを有しているスリーブ導入装置を更に備え、スリーブ導入装置は、その管腔内に通してガイドワイヤを受容するように構成されているとともに、それ自体がスリーブの管腔内部に受容されるような構成にされ、スリーブとスリーブ導入装置からなる組立体は、スリーブ導入装置のテーパ状端部が組織の中を貫通して前進させられて、該導入装置の入来を容易にするような構成にすることができる、請求項１に記載のシステム。
【請求項１２】  前記ガイドワイヤは0.89mm（0.035インチ）の名目径を有しており、前記拡張装置は１mm（0.4インチ）の管腔径を有しており、前記スリーブは膨張前の0.96mm（0.038インチ）の管腔径を有している、請求項１１に記載のシステム。
【請求項１３】  前記拡張装置は1.3mmから3.3mmの範囲の外径を有している、請求項１２に記載のシステム。
【請求項１４】  前記ガイドワイヤは0.36mm（0.014インチ）の名目径を有しており、前記拡張装置は0.46mm（0.018インチ）の管腔径を有しており、前記スリーブは膨張前の0.41mm（0.061インチ）の管腔径を有している、請求項１１に記載のシステム。
【請求項１５】  前記拡張装置は１mmから2.5mmの範囲の外径を有している、請求項１４に記載のシステム。
【手続補正３】
【補正対象書類名】明細書
【補正対象項目名】０００１
【補正方法】変更
【補正の内容】
【０００１】
【技術分野】
本発明は、一般に、医療装置に関するものである。特に、本発明は、経皮的な脈管へのアクセス（脈管への接近）を確立するためのシステムに関連する。
【手続補正４】
【補正対象書類名】明細書
【補正対象項目名】０００６
【補正方法】変更
【補正の内容】
【０００６】
【発明の概要】
本発明は、患者の脈管への経皮的アクセスを確立するための改良されたシステムを提供する。大腿動脈、橈骨動脈などの動脈と静脈の両方を含む、多様な特定血管へのアクセスを確立することができる。脈管に接近する目的は、血管造影術、血管内超音波法、心臓マッピング術などの診断目的である場合もあれば、血管形成術、冠状血管切開術、観血を最小限に抑えた心臓外科手術、脈管内動脈瘤補修術、心臓融除術などの治療目的である場合もある。本発明に関連する方法は、上述のような、初期的にニードルを標的血管に刺し通した部位を膨張させるための鞘部材拡張装置を採用したセルジンガー技術に優る特定の改良例を含む。前段の背景技術の説明部に明示されているように、組織管路の直接内部で拡張装置・鞘部材の組立体を使用することにより、組織は組織管路を包囲している組織を層間剥離する可能性のある、或いは、別な態様で同組織に損傷を与える可能性のある相当な軸線方向の力を受けることがある。本発明に関連する方法は、従来技術を別途利用して組織管路を通して設置されているガイドワイヤを伝って半径方向に膨張可能なスリーブを導入することにより、組織を傷つけるリスクを低減している。半径方向に膨張可能なスリーブは組織管路に対しては不動化され（典型的には、手で保持される）、鞘部材・拡張装置または他の拡張部材を半径方向に膨張可能なスリーブを通して軸線方向に前進させることにより、下の組織に軸線方向の力を伝えることはほとんど無いか、或いは、全く無い。その代わり、半径方向に膨張する力はスリーブによって外方向に伝達される。
【手続補正５】
【補正対象書類名】明細書
【補正対象項目名】０００９
【補正方法】変更
【補正の内容】
【０００９】
システムが、弾性のある、すなわち、追従性のある半径方向に膨張可能なスリーブを採用している場合は、拡張装置が拡張動作を実施した後で、スリーブを膨張形状に維持するためのシステム構成要素を設けることが必要となる。好都合なことに、拡張装置のような従来の鞘部材・拡張装置を利用して、これを達成することができる。スリーブが膨張した後（従って、組織管路を膨張させた後）、通常は拡張装置と称する組立体の内部を鞘部材から引き出して、組織管路の膨張した径を維持するように、鞘部材を適所に残す。これは有効なアプローチであり、治療に当たっている医者が慣れ親しんでいる装置を利用したものであるが、半径方向に膨張したスリーブは、組織管路が膨張した後の径に僅少ながら厚さを加えた状態になるという欠点を有している。これに比べて、可塑的に変形可能なスリーブまたはロックするスリーブの使用により単純な拡張装置、すなわち、関与する鞘部部材を含まないものを使用することが可能になる。
【手続補正６】
【補正対象書類名】明細書
【補正対象項目名】００１１
【補正方法】変更
【補正の内容】
【００１１】
脈管へのアクセスを確立するための、本発明に関連する方法は、標的血管に至る経皮的組織管路を形成する段階を含んでいる。典型的には、セルジンガーアクセスプロトコルの決まりごとにおける第１の段階のような従来技術に従ってニードルおよびガイドワイヤを使用して、まず最初に組織管路が形成される。ガイドワイヤは組織管路に位置決めされ、半径方向に膨張可能なスリーブはガイドワイヤを伝って組織管路の中を通して位置決めされ、スリーブの遠位端を血管の中に存在させるようにする。スリーブの近位端は組織管路の外部に残留しており、そこで、スリーブは狭い径の形状から、より大きい径の形状へ膨張させられ、血管へのアクセス管腔を設ける。第１の実施形態では、スリーブは可塑的に変形可能であり、そうでなければ、その大きいほうの径の形状を維持する能力があり、関連する鞘部材が無くても、簡単な拡張装置を利用して、膨張を実施することができる。変形形態では、半径方向に膨張可能なスリーブは弾性に富み、すなわち、追従性があり、鞘部材拡張装置を利用して膨張を実施することができるが、この場合、拡張装置は膨張後に除去され、鞘部材を適所に残して所望のアクセス管腔を維持する。通常は、ガイドワイヤを伝わせて前進させられる半径方向に膨張可能なスリーブは、わずか300％だけガイドワイヤ径を超過した、好ましくはわずか200％だけ超過した外径を有している。
【手続補正７】
【補正対象書類名】明細書
【補正対象項目名】００１２
【補正方法】変更
【補正の内容】
【００１２】
更に、本発明に関連する方法のいずれかを実施するためのキットを開示する。このキットは少なくとも、本発明に関連する方法を明示している指示書きと併せて、半径方向に膨張可能なスリーブを備えている。通常は、キットは拡張装置を更に備え、また任意で、ガイドワイヤを更に備えている。半径方向に膨張可能なスリーブが可塑的に変形可能である場合、そうでなければ、その膨張時の径の形状を維持する能力がある場合は、拡張装置は関連するアクセス鞘部材を備えていない、簡単な拡張装置であってもよい。変形例として、半径方向に膨張可能なスリーブが弾性に富んでいる場合、すなわち、追従性がある場合は、拡張装置は従来の鞘部材・拡張装置の組み合わせであてもよい。
【手続補正８】
【補正対象書類名】明細書
【補正対象項目名】００１９
【補正方法】変更
【補正の内容】
【００１９】
ここで図５を参照すると、本発明に関連するキットは、少なくとも、本発明の原理に従い、本発明に関連する方法を明示している使用についての指示書きIFUと併せて、半径方向に膨張可能なスリーブ１２を備えている。通常、拡張装置１４’もキットに含まれている。拡張装置１４’は、関与するアクセス鞘部材の無い簡単な拡張装置として例示されている。このような拡張装置は可塑的に変形可能な半径方向に膨張可能なスリーブとの併用に好適である。キットは任意で、ガイドワイヤGW、スリーブ導入装置５０、および／または、ニードルNを更に備え、全キット構成要素は箱、受け皿、管、パウチ、その他の従来の医療装置梱包材Pの中に一緒に梱包されるのが普通である。医療処置手順で採用されるキット構成要素は、典型的には、無菌梱包材の中に維持され、個々の構成要素はそれぞれ異なる無菌容器に一緒に、或いは、別個に梱包される。通常は、別個の無菌容器内に梱包されている時でも、キットの全構成要素は共通梱包材の内部に一緒に設置される。使用についての指示書きは、従来の梱包挿入物のような別個の印刷シートに施されてもよいし、梱包材または装置自体の全体、一部、または、他の部分に印刷されてもよい。